【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
利用者からアプリケーションが行う処理を特定する条件の入力を受け付ける入力受付手段と、
前記条件の組み合わせとアプリケーションとを対応付ける条件アプリケーション対応情報を保持し、前記入力受付手段により受け付けた前記条件の組み合わせと対応付けられたアプリケーションを該条件アプリケーション対応情報から選択するアプリケーション選択手段と、
を備えたことを特徴とするアプリケーション選択装置。
【請求項２】
前記入力受付手段は、さらに前記アプリケーション選択装置の導入前に使用された導入前アプリケーションの入力を受け付け、
前記入力受付手段により受け付けた前記導入前アプリケーションに対応付けられた前記アプリケーションを選択する従来アプリケーション選択手段と、をさらに備えたこと、
を特徴とする請求項１に記載のアプリケーション選択装置。
【請求項３】
前記入力受付手段は、条件の入力を受け付けた後に詳細な条件の入力を受け付け、
前記アプリケーション選択手段は、前記条件の組合せに基づいて選択された前記アプリケーションから、前記入力受付手段により受け付けた前記詳細な条件に基づいてアプリケーションを選択すること、
を特徴とする請求項１に記載のアプリケーション選択装置。
【請求項４】
前記入力受付手段は、スキャン、電子データの受信及び記憶手段から電子データの読込のうち少なくとも１つ以上を入力処理時に行う条件として入力を受け付け、
前記アプリケーション選択手段は、前記入力受付手段により入力を受け付けた前記スキャン、前記受信及び前記読込のうち少なくとも１つ以上を入力処理時の条件として含む前記条件の組み合わせと対応付けられた前記アプリケーションを選択すること、
を特徴とする請求項１乃至３のいずれか１つに記載のアプリケーション選択装置。
【請求項５】
前記入力受付手段は、印刷、電子データの送信及び記憶手段に電子データの書込のうち少なくとも１つ以上を出力処理時に行う条件として入力を受け付け、
前記アプリケーション選択手段は、前記入力受付手段により入力を受け付けた前記印刷、前記送信及び前記書込のうち少なくとも１つ以上を出力処理時の条件として含む前記条件の組み合わせと対応付けられた前記アプリケーションを選択すること、
を特徴とする請求項１乃至４のいずれか１つに記載のアプリケーション選択装置。
【請求項６】
前記アプリケーション選択手段により選択された前記アプリケーションを表示する表示制御手段と、をさらに備えたことを特徴とする請求項１乃至５のいずれか１つに記載のアプリケーション選択装置。
【請求項７】
処理を特定する条件の入力を受け付ける入力受付手段と、
前記条件の組み合わせとアプリケーションとを対応付ける条件アプリケーション対応情報を保持し、前記入力受付手段により受け付けた前記条件の組み合わせと対応付けられたアプリケーションを該条件アプリケーション対応情報からアプリケーションを選択するアプリケーション選択手段と、
を備えたことを特徴とする画像形成装置。
【請求項８】
前記入力受付手段は、さらに前記画像形成装置の導入前に使用された導入前アプリケーションの入力を受け付け、
前記入力受付手段により受け付けた前記導入前アプリケーションに対応付けられた前記アプリケーションを選択する従来アプリケーション選択手段と、をさらに備えたこと、
を特徴とする請求項７に記載の画像形成装置。
【請求項９】
前記入力受付手段は、条件の入力を受け付けた後に詳細な条件の入力を受け付け、
前記アプリケーション選択手段は、前記条件の組合せに基づいて選択された前記アプリケーションから、前記入力受付手段により受け付けた前記詳細な条件に基づいてアプリケーションを選択すること、
を特徴とする請求項７に記載の画像形成装置。
【請求項１０】
前記入力受付手段は、スキャン、電子データの受信及び記憶手段から電子データの読込のうち少なくとも１つ以上を入力処理時に行う条件として入力を受け付け、
前記アプリケーション選択手段は、前記入力受付手段により入力を受け付けた前記スキャン、前記受信及び前記読込のうち少なくとも１つ以上を入力処理時の条件として含む前記条件の組み合わせと対応付けられた前記アプリケーションを選択すること、
を特徴とする請求項７乃至９のいずれか１つに記載の画像形成装置。
【請求項１１】
前記入力受付手段は、印刷、電子データの送信及び記憶手段に電子データの書込のうち少なくとも１つ以上を出力処理時に行う条件として入力を受け付け、
前記アプリケーション選択手段は、前記入力受付手段により入力を受け付けた前記印刷、前記送信及び前記書込のうち少なくとも１つ以上を出力処理時の条件として含む前記条件の組み合わせと対応付けられた前記アプリケーションを選択すること、
を特徴とする請求項７乃至１０のいずれか１つに記載の画像形成装置。
【請求項１２】
前記アプリケーション選択手段により選択された前記アプリケーションを表示する表示制御手段と、をさらに備えたことを特徴とする請求項７乃至１１のいずれか１つに記載の画像形成装置。
【請求項１３】
入力受付手段が、利用者からアプリケーションが行う処理を特定する条件の入力を受け付ける入力受付ステップと、
アプリケーション選択手段が、前記条件の組み合わせとアプリケーションとを対応付ける条件アプリケーション対応情報を保持し、前記入力受付ステップにより受け付けた前記条件の組み合わせと対応付けられたアプリケーションを該条件アプリケーション対応情報から前記入力受付ステップにより受け付けた前記条件の組合せに基づいて、アプリケーションを選択するアプリケーション選択ステップと、
を備えたことを特徴とするアプリケーション選択方法。
【請求項１４】
利用者からアプリケーションが行う処理を特定する条件の入力を受け付ける入力受付ステップと、
前記条件の組み合わせとアプリケーションとを対応付ける条件アプリケーション対応情報を保持し、前記入力受付ステップにより受け付けた前記条件の組み合わせと対応付けられたアプリケーションを該条件アプリケーション対応情報から前記入力受付ステップにより受け付けた前記条件の組合せに基づいて、アプリケーションを選択するアプリケーション選択ステップと、
をコンピュータに実行させるためのアプリケーション選択プログラム。
【手続補正２】
【補正対象書類名】明細書
【補正対象項目名】００１１
【補正方法】変更
【補正の内容】
【００１１】
上述した課題を解決し、目的を達成するために、請求項１にかかる発明は、利用者からアプリケーションが行う処理を特定する条件の入力を受け付ける入力受付手段と、前記条件の組み合わせとアプリケーションとを対応付ける条件アプリケーション対応情報を保持し、前記入力受付手段により受け付けた前記条件の組み合わせと対応付けられたアプリケーションを該条件アプリケーション対応情報から選択するアプリケーション選択手段と、を備えたことを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
また、請求項３にかかる発明は、請求項１にかかる発明において、前記入力受付手段は、条件の入力を受け付けた後に詳細な条件の入力を受け付け、前記アプリケーション選択手段は、前記条件の組合せに基づいて選択された前記アプリケーションから、前記入力受付手段により受け付けた前記詳細な条件に基づいてアプリケーションを選択すること、を特徴とする。
【手続補正５】
【補正対象書類名】明細書
【補正対象項目名】００１５
【補正方法】変更
【補正の内容】
【００１５】
また、請求項４にかかる発明は、請求項１乃至３のいずれか１つにかかる発明において、前記入力受付手段は、スキャン、電子データの受信及び記憶手段から電子データの読込のうち少なくとも１つ以上を入力処理時に行う条件として入力を受け付け、前記アプリケーション選択手段は、前記入力受付手段により入力を受け付けた前記スキャン、前記受信及び前記読込のうち少なくとも１つ以上を入力処理時の条件として含む前記条件の組み合わせと対応付けられた前記アプリケーションを選択すること、を特徴とする。
【手続補正６】
【補正対象書類名】明細書
【補正対象項目名】００１６
【補正方法】変更
【補正の内容】
【００１６】
また、請求項５にかかる発明は、請求項１乃至４のいずれか１つにかかる発明において、前記入力受付手段は、印刷、電子データの送信及び記憶手段に電子データの書込のうち少なくとも１つ以上を出力処理時に行う条件として入力を受け付け、前記アプリケーション選択手段は、前記入力受付手段により入力を受け付けた前記印刷、前記送信及び前記書込のうち少なくとも１つ以上を出力処理時の条件として含む前記条件の組み合わせと対応付けられた前記アプリケーションを選択すること、を特徴とする。
【手続補正７】
【補正対象書類名】明細書
【補正対象項目名】００１７
【補正方法】変更
【補正の内容】
【００１７】
また、請求項６にかかる発明は、請求項１乃至５のいずれか１つにかかる発明において、前記アプリケーション選択手段により選択された前記アプリケーションを表示する表示制御手段と、をさらに備えたことを特徴とする。
【手続補正８】
【補正対象書類名】明細書
【補正対象項目名】００１８
【補正方法】変更
【補正の内容】
【００１８】
また、請求項７にかかる発明は、処理を特定する条件の入力を受け付ける入力受付手段と、前記条件の組み合わせとアプリケーションとを対応付ける条件アプリケーション対応情報を保持し、前記入力受付手段により受け付けた前記条件の組み合わせと対応付けられたアプリケーションを該条件アプリケーション対応情報からアプリケーションを選択するアプリケーション選択手段と、を備えたことを特徴とする。
【手続補正９】
【補正対象書類名】明細書
【補正対象項目名】００１９
【補正方法】変更
【補正の内容】
【００１９】
また、請求項８にかかる発明は、請求項７にかかる発明において、前記入力受付手段は、さらに前記画像形成装置の導入前に使用された導入前アプリケーションの入力を受け付け、前記入力受付手段により受け付けた前記導入前アプリケーションに対応付けられた前記アプリケーションを選択する従来アプリケーション選択手段と、をさらに備えたこと、を特徴とする。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
また、請求項９にかかる発明は、請求項７にかかる発明において、前記入力受付手段は、条件の入力を受け付けた後に詳細な条件の入力を受け付け、前記アプリケーション選択手段は、前記条件の組合せに基づいて選択された前記アプリケーションから、前記入力受付手段により受け付けた前記詳細な条件に基づいてアプリケーションを選択すること、を特徴とする。
【手続補正１２】
【補正対象書類名】明細書
【補正対象項目名】００２２
【補正方法】変更
【補正の内容】
【００２２】
また、請求項１０にかかる発明は、請求項７乃至９のいずれか１つにかかる発明において、前記入力受付手段は、スキャン、電子データの受信及び記憶手段から電子データの読込のうち少なくとも１つ以上を入力処理時に行う条件として入力を受け付け、前記アプリケーション選択手段は、前記入力受付手段により入力を受け付けた前記スキャン、前記受信及び前記読込のうち少なくとも１つ以上を入力処理時の条件として含む前記条件の組み合わせと対応付けられた前記アプリケーションを選択すること、を特徴とする。
【手続補正１３】
【補正対象書類名】明細書
【補正対象項目名】００２３
【補正方法】変更
【補正の内容】
【００２３】
また、請求項１１にかかる発明は、請求項７乃至１０のいずれか１つにかかる発明において、前記入力受付手段は、印刷、電子データの送信及び記憶手段に電子データの書込のうち少なくとも１つ以上を出力処理時に行う条件として入力を受け付け、前記アプリケーション選択手段は、前記入力受付手段により入力を受け付けた前記印刷、前記送信及び前記書込のうち少なくとも１つ以上を出力処理時の条件として含む前記条件の組み合わせと対応付けられた前記アプリケーションを選択すること、を特徴とする。
【手続補正１４】
【補正対象書類名】明細書
【補正対象項目名】００２４
【補正方法】変更
【補正の内容】
【００２４】
また、請求項１２にかかる発明は、請求項７乃至１１のいずれか１つにかかる発明において、前記アプリケーション選択手段により選択された前記アプリケーションを表示する表示制御手段と、をさらに備えたことを特徴とする。
【手続補正１５】
【補正対象書類名】明細書
【補正対象項目名】００２５
【補正方法】変更
【補正の内容】
【００２５】
また、請求項１３にかかる発明は、入力受付手段が、利用者からアプリケーションが行う処理を特定する条件の入力を受け付ける入力受付ステップと、アプリケーション選択手段が、前記条件の組み合わせとアプリケーションとを対応付ける条件アプリケーション対応情報を保持し、前記入力受付ステップにより受け付けた前記条件の組み合わせと対応付けられたアプリケーションを該条件アプリケーション対応情報から前記入力受付ステップにより受け付けた前記条件の組合せに基づいて、アプリケーションを選択するアプリケーション選択ステップと、を備えたことを特徴とする。
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】変更
【補正の内容】
【００３２】
また、請求項１４にかかる発明は、利用者からアプリケーションが行う処理を特定する条件の入力を受け付ける入力受付ステップと、前記条件の組み合わせとアプリケーションとを対応付ける条件アプリケーション対応情報を保持し、前記入力受付ステップにより受け付けた前記条件の組み合わせと対応付けられたアプリケーションを該条件アプリケーション対応情報から前記入力受付ステップにより受け付けた前記条件の組合せに基づいて、アプリケーションを選択するアプリケーション選択ステップと、をコンピュータで実行させることを特徴とする。
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】変更
【補正の内容】
【００３６】
また、請求項３にかかる発明によれば、条件の組合せにより選択されたアプリケーションからさらに選択を可能としたことで、利用者の利便性が向上するという効果を奏する。
【手続補正２５】
【補正対象書類名】明細書
【補正対象項目名】００３７
【補正方法】変更
【補正の内容】
【００３７】
また、請求項４にかかる発明によれば、スキャン、受信、読込のうち少なくとも１つ以上の入力を受け付けてアプリケーションを選択することで、利用者の要求に応じた処理を行うアプリケーションを選択できるという効果を奏する。
【手続補正２６】
【補正対象書類名】明細書
【補正対象項目名】００３８
【補正方法】変更
【補正の内容】
【００３８】
また、請求項５にかかる発明によれば、印刷、送信、書込のうち少なくとも１つ以上の入力を受け付けてアプリケーションを選択することで、利用者の要求に応じた処理を行うアプリケーションを選択できるという効果を奏する。
【手続補正２７】
【補正対象書類名】明細書
【補正対象項目名】００３９
【補正方法】変更
【補正の内容】
【００３９】
また、請求項６にかかる発明によれば、選択されたアプリケーションを表示することで、利用者が要求するアプリケーションであるか否か確認できるので、利便性が向上するという効果を奏する。
【手続補正２８】
【補正対象書類名】明細書
【補正対象項目名】００４０
【補正方法】変更
【補正の内容】
【００４０】
また、請求項７にかかる発明によれば、受け付けた条件に基づいてアプリケーションを選択することで、利用者が要求する処理を行うアプリケーションを容易に選択することができるという効果を奏する。
【手続補正２９】
【補正対象書類名】明細書
【補正対象項目名】００４１
【補正方法】変更
【補正の内容】
【００４１】
また、請求項８にかかる発明によれば、導入前アプリケーションの入力を受け付け、当該導入前アプリケーションに対応付けられたアプリケーションを選択することで、利用者がアプリケーション選択装置の導入前と同じ操作でアプリケーションを選択できるという効果を奏する。
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】変更
【補正の内容】
【００４３】
また、請求項９にかかる発明によれば、選択されたアプリケーションからさらに選択を可能としたことで、利用者の利便性が向上するという効果を奏する。
【手続補正３２】
【補正対象書類名】明細書
【補正対象項目名】００４４
【補正方法】変更
【補正の内容】
【００４４】
また、請求項１０にかかる発明によれば、スキャン、受信、読込のうち少なくとも１つ以上の入力を受け付けてアプリケーションを選択することで、利用者の要求に応じた処理を行うアプリケーションを選択できるという効果を奏する。
【手続補正３３】
【補正対象書類名】明細書
【補正対象項目名】００４５
【補正方法】変更
【補正の内容】
【００４５】
また、請求項１１にかかる発明によれば、印刷、送信、書込のうち少なくとも１つ以上の入力を受け付けてアプリケーションを選択することで、利用者の要求に応じた処理を行うアプリケーションを選択できるという効果を奏する。
【手続補正３４】
【補正対象書類名】明細書
【補正対象項目名】００４６
【補正方法】変更
【補正の内容】
【００４６】
また、請求項１２にかかる発明によれば、選択されたアプリケーションを表示することで、利用者が要求するアプリケーションであるか否か確認できるので、利便性が向上するという効果を奏する。
【手続補正３５】
【補正対象書類名】明細書
【補正対象項目名】００４７
【補正方法】変更
【補正の内容】
【００４７】
また、請求項１３にかかる発明によれば、受け付けた条件の組合せに基づいてアプリケーションを選択することで、利用者が要求する処理を行うアプリケーションを容易に選択することができるという効果を奏する。
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】変更
【補正の内容】
【００５４】
また、請求項１４にかかる発明によれば、受け付けた条件の組合せに基づいてアプリケーションを選択することで、利用者が要求する処理を行うアプリケーションを容易に選択することができるという効果を奏する。